(57)【要約】【課題】色温度補正が可能でありつつながらも、高輝度を維持できるプラズマディスプレイモジュールを提供すること。【解決手段】色温度を補正しながらも高輝度を維持するために、ガス放電を利用して画像を表示するプラズマディスプレイパネル及び該プラズマディスプレイパネルの可視光が放出される面に配置され、少なくとも１つの孔が形成された色温度補正フィルタを具備するプラズマディスプレイモジュールが提供される。【選択図】図１
2006293336.tif 000002
【特許請求の範囲】
【請求項１】
ガス放電を利用して画像を表示するプラズマディスプレイパネルと、
前記プラズマディスプレイパネルの可視光が放出される面に配置され、少なくとも１つの孔が形成された色温度補正フィルタと、を具備するプラズマディスプレイモジュール。
【請求項２】
前記色温度補正フィルタは、前記プラズマディスプレイパネルから発生する可視光ピークの色温度を補正することを特徴とする、請求項１に記載のプラズマディスプレイモジュール。
【請求項３】
前記色温度補正フィルタは、青色系であることを特徴とする、請求項１に記載のプラズマディスプレイモジュール。
【請求項４】
前記色温度補正フィルタの孔は、円形であることを特徴とする、請求項１に記載のプラズマディスプレイモジュール。
【請求項５】
前記色温度補正フィルタは、第１フィルタ部と第２フィルタ部を備える少なくとも二層からなることを特徴とする、請求項１に記載のプラズマディスプレイモジュール。
【請求項６】
前記第１フィルタ部は、色温度補正層であり、
前記第２フィルタ部は、接着剤層であることを特徴とする、請求項５に記載のプラズマディスプレイモジュール。
【請求項７】
前記色温度補正フィルタは、前記プラズマディスプレイパネルの可視光が放出される面を覆うように配置されることを特徴とする、請求項１に記載のプラズマディスプレイモジュール。
【請求項８】
前記色温度補正フィルタは、アセテート系材料から形成されることを特徴とする、請求項１に記載のプラズマディスプレイモジュール。
【発明の詳細な説明】
【技術分野】
【０００１】
本発明はプラズマディスプレイモジュールに係り、さらに詳細には、色温度を補正しながらも、高輝度を維持できるプラズマディスプレイモジュールに関する。
【背景技術】
【０００２】
プラズマディスプレイモジュールは、ガス放電現象を利用して画像を具現する平板ディスプレイモジュールであり、薄型化が可能であって広い視野角を有する高画質の大画面を具現でき、最近脚光を浴びているディスプレイモジュールである。
【０００３】
かかるプラズマディスプレイモジュールは、第１パネルと第２パネルからなるプラズマディスプレイパネル（ＰＤＰ）を具備する。
【０００４】
また、ＰＤＰは、その内部に形成された放電セル内で放電が発生し、放電ガスから放出する紫外線が蛍光体を励起させて可視光を発光させることにより画像を表示する。
【０００５】
すなわち、ＰＤＰに形成される各放電セルには、赤色（Ｒ）、緑色（Ｇ）または青色（Ｂ）蛍光体（ＲＧＢ蛍光体）のうちいずれか１つの蛍光体からなる蛍光体層が形成されるが、かような蛍光体層は、順次ＲＧＢ蛍光体を連続的に隣接する各放電セルに一つずつ塗布することにより形成される。
【０００６】
ここで、Ｒ蛍光体層を備えた放電セル、Ｇ蛍光体層を備えた放電セル及び青色Ｂ蛍光体層を備えた放電セルが互いに隣接する３つの放電セルは、相互に作用して１つの単位画素を構成する。
【０００７】
ところで、従来のプラズマディスプレイモジュールにおいては、ＰＤＰから放出される可視光のうち、Ｂ蛍光体から発生する可視光（すなわち、青色光）の輝度比が相対的にかなり低いために、これを大多数の消費者が好む、適した色温度に補正するために、普通、色温度補正フィルタと呼ばれるフィルタを使用してきた。
【０００８】
しかし、このように、色温度補正フィルタを使用する場合には、ＰＤＰから出射されて出てくる可視光がかかる色温度補正フィルタに一部吸収されたり、または反射されることにより、プラズマディスプレイモジュールの輝度が全体的に低くなるという輝度低減問題が発生してしまうという短所があった。
【発明の開示】
【発明が解決しようとする課題】
【０００９】
本発明は、前記のような問題点を解決するためのものであり、ＰＤＰの可視光が放出される面に付着されて色温度を補正する色温度補正フィルタを具備し、色温度補正フィルタに少なくとも１つの孔を形成することにより、色温度補正が可能でありながらも、高輝度を維持できるプラズマディスプレイモジュールを提供することを目的とする。
【課題を解決するための手段】
【００１０】
前記のような目的及びそれ以外の目的を達成するために、本発明は、色温度を補正しつつも高輝度を維持させるために、ガス放電を利用して画像を表示するＰＤＰ、及び前記ＰＤＰの可視光を放出する面に配置され、少なくとも１つの孔が形成された色温度補正フィルタを具備するプラズマディスプレイモジュールを提供する。
【００１１】
ここで、前記色温度補正フィルタは、前記ＰＤＰから発生する可視光ピークの色温度を補正するフィルタであることが望ましい。
【００１２】
さらに、前記色温度補正フィルタは、青色（Ｂ）系列であることが望ましいが、本発明は、それに限定されるものではない。
【００１３】
さらに、前記色温度補正フィルタの孔は、円形であることが望ましい。
【００１４】
さらに、前記色温度補正フィルタは、第１フィルタ部と第２フィルタ部を備える少なくとも二層からなることが望ましい。
【００１５】
さらに、前記第１フィルタ部は、色温度補正層であり、前記第２フィルタ部は、接着剤層であることが望ましい。
【００１６】
さらに、前記色温度補正フィルタは、前記ＰＤＰの可視光が放出される面を覆うように配置することが望ましい。
【００１７】
さらに、前記色温度補正フィルタは、アセテート系材料から形成することが望ましいが、本発明は、それに限定されるものではなく、かような目的を達成できる限り、他のいかなる素材によって形成してもよい。
【発明の効果】
【００１８】
本発明によれば、ＰＤＰの可視光が放出される面に付着されて色温度を補正する色温度補正フィルタを具備し、色温度補正フィルタに少なくとも１つの孔を形成することにより、色温度補正が可能でありながらも高輝度を維持できるプラズマディスプレイモジュールを提供し得る。
【００１９】
また、大多数の消費者は、青色光を作り出す高い色温度及び高輝度を好むために、前記のようなプラズマディスプレイモジュールを備えたプラズマディスプレイ装置に対する消費者の購買意欲を高めることが可能である。
【発明を実施するための最良の形態】
【００２０】
以下、添付図面を参照しながら、本発明の望ましい実施形態を詳細に説明する。
【００２１】
図１は、本発明の望ましい実施形態によるプラズマディスプレイモジュールを示す部分分離斜視図であり、図２は、図１のＩＩ−ＩＩ線に沿って切り取った部分切開断面図であり、図３は、図１で、色温度補正フィルタ部だけを拡大して示す部分拡大斜視図である。
【００２２】
図面を参照すれば、本発明の望ましい実施形態によるプラズマディスプレイモジュール１０は、画像を表示するＰＤＰ１００を具備している。
【００２３】
かかるＰＤＰ１００としては、多種のＰＤＰのうちいずれか一つを採用し得るが、その一例として三電極交流面放電型ＰＤＰを採用し得る。その場合、ＰＤＰ１００は、第１パネル１１０及び第２パネル１２０からなり、図示していないが、第１パネル１１０は、第１基板上に、ストリップ状よりなる共通電極と走査電極を備えてなる複数個の維持電極対と、維持電極対を埋め込む第１誘電体層と、第１誘電体層の表面にコーティングされる保護層と、を備える。
【００２４】
そして、第２パネル１２０は、第１パネル１１０と対向し、図示していないが、第２基板上に、維持電極対と交差する形態で備えられる複数個のアドレス電極と、アドレス電極を埋め込む第２誘電体層と、第２誘電体層上に形成されて放電が起きる放電セルを画定してクロストークを防止する隔壁と、隔壁により区画された放電空間の内側に塗布される赤色（Ｒ）、緑色（Ｇ）、青色（Ｂ）の蛍光体（ＲＧＢ蛍光体）層を備える。
【００２５】
ここで、放電セルは、維持電極対とアドレス電極が交差する領域とそれぞれ対応し、放電セル内には、放電ガスが充填される。
【００２６】
前記のような構成を有するＰＤＰ１００の作動過程は、次の通りである。
【００２７】
まず、外部の電源から電圧が印加されれば、アドレス電極及び走査電極によりアドレス放電が起き、次に、走査電極及び共通電極により維持放電が起こる。
【００２８】
一方、維持放電時に励起された放電ガスのエネルギー準位が低くなりつつ紫外線が放出され、この紫外線が放電セル内に配置された蛍光体層の蛍光体を励起させる。このとき、励起された蛍光体のエネルギー準位が低くなりつつ可視光が放出され、この放出された可視光がＰＤＰ１００を透射して出射されつつ、ユーザが認識できる画像を形成する。
【００２９】
一方、一般的に、ＲＧＢ蛍光体から発生する可視光間の輝度比は、２８：６２：１０ほどであり、単位画素で生成されるピークの色温度は約８，０００Ｋである。
【００３０】
また、ＲＧＢ蛍光体から発生する可視光間の輝度比において、各輝度比間の偏差が大きいほど、一般的に色温度が低くなる。
【００３１】
ここで、色温度とは、読んでその如く、色がいかに熱くていかに冷たいかを表す用語であり、普通の場合、色温度は６，５００Ｋないし９，３００Ｋの間で調整可能である。ここで、Ｋは、英国の物理学者であるＷ．Ｔｈｏｍａｓ Ｋｅｌｖｉｎ（１８２４−１９０７）の姓から取ったものであり、絶対温度を表すときに使用し、数値が高いほど明るくて冷たく、青色を帯びる。反対に、数値を低くすれば、暖かくて赤みを帯びた色を示す。色温度についての選好度は人によって異なるが、ほとんどの人は、青色光の輝く高い色温度を好むという。
【００３２】
また、前記のような構成を有するＰＤＰ１００の一面には、一般的にシャーシ３０が配置されるが、シャーシ３０は、ＰＤＰ１００が外部衝撃により破損することを防止する機能を有し、そのためにＰＤＰ１００の一面に配置されてＰＤＰ１００を支持する。
【００３３】
一方、ＰＤＰ１００とシャーシ３０は、両面テープのような接着部材１３５により付着し得る。
【００３４】
また、本実施形態によるプラズマディスプレイモジュール１０は、シャーシ３０及びＰＤＰ１００間に配置され、ＰＤＰ１００の駆動時に発生する熱が蓄積することを防止するアルミニウムシート、銅シート、または熱伝導性樹脂などで形成された放熱シート１３０を具備できる。
【００３５】
また、シャーシ３０のＰＤＰ１００と反対側にある面には、一般的にＰＤＰ１００を駆動する電気的信号を発生させる駆動回路部１４０が設置されるが、そのために、駆動回路部１４０には、各種電子部品（図示せず）が備えられ、画像表示のための電圧信号を印加し、電源を供給する。
【００３６】
本実施形態によるプラズマディスプレイモジュール１０は、ＰＤＰ１００の可視光が放出される面に配置され、ＰＤＰ１００から発生する可視光ピークの色温度を補正する色温度補正フィルタ１１２を具備する。
【００３７】
ここで、色温度補正フィルタ１１２は、ＰＤＰ１００から発光して出てくる可視光ピークを、一般人が好む色に補正するためのものであり、赤色（Ｒ光）と緑色（Ｇ光）の輝度を低くすることにより、両可視光（Ｒ光、Ｇ光）と青色光（Ｂ光）との輝度差を減らし、これを介し、ＰＤＰ１００から放出されて出てくる全体可視光の色温度を高め、可視光の色相を青色光が輝く色に補正する役割を果たす。
【００３８】
すなわち、色温度補正フィルタ１１２とは、Ｒ光、Ｇ光、Ｂ光のうちいずれか一つまたは二種の輝度を低下させる役割をして、黄色（Ｙｅｌｌｏｗ）、マゼンタ色（Ｍａｇｅｎｔａ）、Ｇ系列、Ｒ系列及びＢ系列などがある。また、それぞれの色温度補正に至る４０種のフィルタがあり、ほとんどの色補正が可能である。
【００３９】
また、色温度補正フィルタ１１２は、一般的にアセテート系の材料から形成され、当該技術分野で公知の任意のフィルタを使用し得る。
【００４０】
また、色温度補正フィルタ１１２は、その厚さが任意の公知のフィルタ厚と同一、または類似に形成可能である。
【００４１】
さらに、色温度補正フィルタ１１２は、Ｂ色系列であることが望ましいが、そのようにすることにより、Ｂ光の透過率は高めてＲ光及びＧ光の透過率は低くしてそれらの間の輝度差を低下させ、全体可視光の色温度を高める。
【００４２】
また、色温度補正フィルタ１１２には、少なくとも１つの孔１１２ａが形成することが望ましい。そのようにすることによって色温度補正フィルタ１１２をＰＤＰ１００の可視光が放出される面に配置することにより、ＰＤＰ１００から放出される可視光を一部吸収したり、または反射させることによりその透過率が低下し、それによってプラズマディスプレイモジュール１０の全体的な輝度が低下するという現象を防止できる。
【００４３】
すなわち、ＰＤＰ１００から放出されて出てくる可視光、は色温度補正フィルタ１１２に一部吸収されたり、または色温度補正フィルタ１１２により一部反射され、結局、色温度補正フィルタ１１２の外に透過されて出てくる可視光の量が少なくなるが、かかる点を考慮し、色温度補正フィルタ１１２に複数個の孔１１２ａを形成すれば、色温度補正フィルタ１１２を経ずに、ＰＤＰ１００を透過した後で孔１１２ａを介して、直接、外部に放出される可視光の量が増える。また、その場合にも、かかる孔１１２ａが形成されないときに色温度補正フィルタ１１２が達成できる色温度補正効果は、そのまま維持し得る。
【００４４】
また、色温度補正フィルタ１１２に形成される孔１１２ａは、多様なサイズに形成可能であるが、孔１１２ａが大きすぎれば、可視光の透過率が増大して輝度が向上するものの、色温度補正効果が落ちてしまう。反対に、孔１１２ａが小さすぎれば、色温度補正効果は良好とし得るが、可視光の透過率が落ちてしまい、従来のような輝度低減問題が再び発生する。結局、孔１１２ａは、色温度補正フィルタ１１２の色温度補正効果を落とさない範囲内でできる限り最も大きく形成することが望ましい。
【００４５】
さらに、色温度補正フィルタ１１２に形成された孔１１２ａは、円形であることが望ましいが、それに限定されるものではなく、それ以外にも、三角形、楕円形、四角形または五角形など多様な形態で形成可能である。
【００４６】
さらに、色温度補正フィルタ１１２は、第１フィルタ部１１３と第２フィルタ部１１４を備えて形成することが望ましい。
【００４７】
ここで、第１フィルタ部１１３は、色温度補正層であり、第２フィルタ部１１４は、接着剤層であることが望ましい。それにより、第２フィルタ部１１４を介してＰＤＰ１００の可視光が放出される面に色温度補正フィルタ１１２を付着させることができる。
【００４８】
さらに、色温度補正フィルタ１１２は、ＰＤＰ１００の可視光が放出される面を完全に覆うように配置することが望ましいが、それに限定されるものではなく、かような効果を得ることができる限り、異なる多様な大きさと個数とで形成して配置することが可能である。
【００４９】
さらに、色温度補正フィルタ１１２は、アセテート系材料から形成することが望ましいが、本発明は、それに限定されるものではなく、かような目的を達成できる限り他のいかなる材料により形成してもよい。
【００５０】
本発明を、図面に示す実施形態を参考に説明してきたが、それは例示的なものに過ぎず、当該技術分野の当業者ならば、それらから多様な変形及び均等な他の実施形態が可能であるという点を理解するであろう。従って、本発明の真の技術的保護範囲は、特許請求の範囲の記載に基づく技術思想によって決まるものである。
【産業上の利用可能性】
【００５１】
本発明は、色温度を補正しながらも高輝度を維持できるプラズマディスプレイモジュールに係り、例えば、平板ディスプレイ関連の技術分野に効果的に適用可能である。
【図面の簡単な説明】
【００５２】
【図１】本発明の望ましい実施形態によるプラズマディスプレイモジュールを示す分離斜視図である。
【図２】図１のＩＩ−ＩＩ線に沿って切り取った部分切開断面図である。
【図３】図１で、色温度補正フィルタ部だけを拡大して示す部分拡大斜視図である。
【符号の説明】
【００５３】
１０  プラズマディスプレイモジュール
３０  シャーシ
９０  補強部材
１００  ＰＤＰ
１１０  第１パネル
１１２  色温度補正フィルタ
１１２ａ  孔
１１３  第１フィルタ部
１１４  第２フィルタ部
１２０  第２パネル
１３０  放熱シート
１３５  接着部材
１４０  駆動回路部
【図１】
2006293336.tif 000003
【図２】
2006293336.tif 000004
【図３】
2006293336.tif 000005